(57)【要約】  本考案はドアに設置されたラッチがドアフレームに設置されたドアストライカーに掛けられた状態で室内外の気圧の変化を含む各種外力の印加によってドアが搖れながら音がした従来のストライカーの問題点を解消することができるようにストライカーの断面形態を改善してラッチがストライカーに差し込まれた状態で前後へ遊ぶことなく密着状態を保持することができるようにしたもので、ドア（３０）の側面に取っ手部材と連結されて作動するラッチ組立体が設置され、ドアフレーム（４０）にはラッチ組立体のラッチ（２０）が差し込まれて掛けられるストライカー（１０）が設置され、前記ストライカー（１０）はラッチ（２０）の前面（２２）が掛けられる前面係止突起（１２）とラッチ（２０）の後面（２４）が掛けられる後面係止突起（１４）を有し、前記前面係止突起（１２）は先端の直角面（１２ａ）と内側の傾斜面（１２ｂ）とからなる。
2020508408.tif 000002
【特許請求の範囲】
【請求項１】
ドア（３０）の側面に取っ手部材と連結されて作動するラッチ組立体が設置され、ドアフレーム（４０）にはラッチ組立体のラッチ（２０）が差し込まれて掛けられるストライカー（１０）が設置され、前記ストライカー（１０）はラッチ（２０）の前面（２２）が掛けられる前面係止突起（１２）とラッチ（２０）の後面（２４）が掛けられる後面係止突起（１４）を有し、前記前面係止突起（１２）は先端の直角面（１２ａ）と内側の傾斜面（１２ｂ）とからなって、ラッチ（２０）の挿入時にラッチ組立体の内側の弾性部材によってラッチ（２０）の前面（２２）の末端（２２ａ）が傾斜面（１２ｂ）に接触し、ラッチ（２０）の後面（２４）は後面係止突起（１４）に接触した状態を保持し、外力によってドア（３０）が一側に押されてラッチ（２０）の前面（２２）の末端（２２ａ）が傾斜面（１２ｂ）に沿ってスライドされても先端の直角面（１２ａ）に掛けられてドア（３０）が開かれることを防止することができるようにしたことを特徴とするドア遊動防止用ドアストライカー。
【発明の詳細な説明】
【技術分野】
【０００１】
本考案はドアストライカーに関するもので、ドアに設置されたラッチがドアフレームに設置されたドアストライカーに掛けられた状態で室内外の気圧の変化を含む各種外力の印加によってドアが搖れながら音がした従来のストライカーの問題点を解消することができるようにストライカーの断面形態を改善してラッチがストライカーに差し込まれた状態で前後へ遊ぶことなく密着状態を保持することができるようにしたのである。
【背景技術】
【０００２】
一般に、室内のドアや出入口用ドアは閉まった状態を保持したり保安またはプライバシーを守るためにロック機能を有し、ドアには前後に露出された取っ手部材が備えられ、ドアの側面には前記取っ手部材と連結されて作動するロック機構であるラッチ組立体（「ラッチボルト」または「モルティスロック」とも呼ばれる）が設置されている。
【０００３】
また、ドアフレーム（戸枠）には前述したラッチ組立体のラッチが差し込まれて掛けられるストライカーが設置されるが、このストライカーは金属板材をプレス加工によって製作するか鋳物で製作するかまたは合成樹脂で射出成形するなど多様な材料と方法で製作する。
【０００４】
一方、従来のドアストライカーはラッチ組立体のラッチが差し込まれて掛けられた状態で、図１に示すように、ストライカー１の前後幅Ｄがラッチ２の厚さｄよりも広い状態を成しているため、室内外の気圧変化が発生したり風が吹く場合、ドア３が前後に搖れてしまい、それによりラッチ２がストライカー１の前後端部にぶつかりながら騷音が発生し、これは熟眠を妨害するだけでなく、心理的にも不安を感じさせる要因となり、消費者にとってドアの品質及び製品の完成度に対する信頼を落とす主要要因となって来た。
【０００５】
本考案と係わる従来技術としては、特許文献１の可変型ボルト挿入部を備えたストライカーアセンブリーが開示されている。これはデッドボルトとラッチボルトが挿入されるボルト挿入部の大きさを調節可能にしてドアの揺れ現象を防止することができるようになっているが、その構造が調節板、調節ボルト及びストッパなどの構成要素を必要とするため、複雑であり、頻繁にセッティングしなければならないという欠点がある。
【０００６】
また、特許文献２のプッシュプルタイプのドアロック装置用ストライカーは下部折曲面が約７０〜８０゜に折れていてラッチボルトがモティスロックから突出されている限り持続的に線形接触するようになっていてドアの遊動を防止することができるようになっているが、これはドアを一方向に押したり引っ張る場合、ラッチボルトが傾いた下部折曲面に沿って滑りながらドアが開かれてしまうという状況が発生する場合もあるという問題点があった。
【０００７】
また、特許文献３のドア揺れ防止用ドアロックストライカー組立体は、ストライカーの位置が繰り返される衝撃にもかかわらず最適化された位置に固定されるようにしたもので、ストライカーハウジングにストライカーを結合する時、ストライカーハウジングの突起位置によってストライカーの横長孔（スリット）での固定ねじの締結位置を変更することができるように構成されているが、これはストライカーが別途のハウジングを備える必要があるため、費用が上昇するだけでなく、繰り返されるドアの衝撃によってその締結位置が変動されることからストライカーの遊動を防止する効果が低下してしまうという虞があった。
【先行技術文献】
【特許文献】
【０００８】
【特許文献１】韓国登録特許第１０−１４４１３６３号（２０１４．０９．１１．登録）
【特許文献２】韓国公開実用新案第２０−２０１４−０００２１８６号（２０１４．０４．１７．公開）
【特許文献３】韓国公開特許第１０−２０１７−０００９０２０号（２０１７．０１．２５．公開）
【発明の概要】
【発明が解決しようとする課題】
【０００９】
本考案は前述した問題点を解決するために案出されたもので、本考案の目的は、ドアに設置されたラッチがドアフレームに設置されたドアストライカーに掛けられた状態で室内外の気圧の変化を含む各種外力の印加によってドアが搖れながら音がした従来のストライカーの問題点を解消することができるようにラッチがストライカーに差し込まれた状態で前後へ遊ぶことなく密着状態を保持することができるようにストライカーの断面形態を改善することにある。
【課題を解決するための手段】
【００１０】
前述した目的を達するために、本考案はドアの側面に取っ手部材と連結されて作動するラッチ組立体が設置され、ドアフレームには前述したラッチ組立体のラッチが差し込まれて掛けられるストライカーが設置されたもので、前記ストライカーはラッチの前面が掛けられる前面係止突起とラッチの後面が掛けられる後面係止突起を有し、前記前面係止突起は先端の直角面と内側の傾斜面とからなり、ラッチの挿入時にラッチ組立体の内側の弾性部材によってラッチの前面の末端が傾斜面に接触し、ラッチの後面は後面係止突起に接触した状態を保持し、外力によってドアが一側へ押されてラッチの前面の末端が傾斜面に沿ってスライドされても先端の直角面に掛けられてドアが開かれることを防止することができるようにしたドア遊動防止用ドアストライカーを提供する。
【発明の効果】
【００１１】
本考案によれば、ラッチの前後面がストライカーの前後面係止突起に当接していて、風などによってドアが搖れることを防止することができるので、騷音の発生がなく、風が強く吹いたりドアが外力によって引っ張られてもラッチの前面はストライカーの前面係止突起に形成された直角面に掛けられることによりドアが開かれなくなるので、プライバシーの保護が可能であり、ドアの静粛性を保持するとともに、ドアの実質的な品質向上が可能な効果を奏する。
【図面の簡単な説明】
【００１２】
【図１】従来のドアストライカーにラッチが掛けられた状態を示した平断面図である。
【図２】本考案の一実施例によるドアストライカーにラッチが掛けられた状態を示した平断面図である。
【図３】図２でドアが外力によって引っ張られた状態を示した平断面図である。
【図４】本考案の他の実施例によるドアストライカーの斜視図である。
【図５】図４に示したドアストライカーのＡ−Ａ線断面図である。
【発明を実施するための形態】
【００１３】
以下、本考案を限定しない好ましい実施例を添付された図面を参照して詳しく説明する。
【００１４】
図２及び図３には本考案の一実施例によるドアストライカー及びこのドアストライカーにラッチが結合された状態が示している。
【００１５】
図面に示したように、本実施例では、ドア３０の側面に取っ手部材と連結されて作動するラッチ組立体が設置され、ドアフレーム４０には前記ラッチ組立体のラッチ２０が差し込まれて掛けられるストライカー１０が設置され、前記ストライカー１０はラッチ２０の前面２２が掛けられる前面係止突起１２とラッチ２０の後面２４が掛けられる後面係止突起１４と有し、前記前面係止突起１２は先端の直角面１２ａと内側の傾斜面１２ｂとからなり、ラッチ２０の挿入時にラッチ組立体の内側の弾性部材（図示しない）によってラッチ２０の前面２２の末端２２ａが傾斜面１２ｂに接触し、ラッチ２０の後面２４は後面係止突起１４に接触した状態を保持して（図２参照）、外力によってドア３０が一側に押されてラッチ２０の前面２２が傾斜面１２ｂに沿ってスライドされても先端の直角面１２ａに掛けられてドア３０が開かれることを防止することができるようになっている（図３参照）。
【００１６】
前記前面１２の傾斜面１２ｂの角度はラッチ２０の厚さ（図１の符号ｄ参照）とストライカー１０の溝の前後幅（図１の符号Ｄ参照）の大きさを考慮して設計されなければならない。ラッチ２０が完全に突出された状態でラッチ２０の前面２２末端が傾斜面１２ｂの何れの位置に接触しながらラッチ２０の後面２４がストライカー１２０の後面係止突起１４の先端部に接触している状態を保持することができる角度に形成すればよい。
【００１７】
また、前記傾斜面１２ｂと直角面１２ａとの境界はラッチ２０がドアストライカー１０に掛けられた状態を安定的に保持することができる適正な深さに位置すればよく、好ましくは、ラッチ２０の突出長さの１／３位置が好ましい。
【００１８】
本実施例において、前記ラッチ２０は前面２２が平面、後面２４は円弧形に形成されているが、本考案はこれに限定されず、前面２２及び後面２４が平面形からなるラッチにも適用可能であることが勿論である。
【００１９】
また、本実施例において、前記ドアストライカー１０はラッチ２０が掛けられる前面係止突起１２と後面係止突起１４が内側の底面１６と一体に形成された射出型または鋳物型製品を示しているが、本考案はこれに限定されず、図４及び図５に示したように、底面１６（図２及び図３参照）のないプレス加工形態のドアストライカーにも適用されることができ、ドアストライカーを２つの部品、即ち戸枠の前面に露出される板部材と戸枠の内部に埋設される溝部材でそれぞれ製作するが、内部に埋設される溝部材の一側面に前述した傾斜面１２ｂと直角面１２ａを形成することで前述した実施例または以下に説明する実施例のストライカーと同じ機能と効果を発揮するようにすることもでき、従来の板部材の内側に単純に前述した傾斜面と直角面を有する溝部材を差し込んでも同じ機能と効果を発揮することができ、このような単純な変形や改造は以下に記載する本考案の権利範囲に属することは自明である。
【００２０】
図４及び図５には本考案の他の実施例によるドアストライカー及びこのドアストライカーにラッチが結合された状態が示されている。
【００２１】
本実施例によるドアストライカー１０は、前述したように、プレス加工形態に製作されたもので、前面係止突起１２は直角面１２ａと傾斜面１２ｂを有し、後面係止突起１４は穿孔された状態である。
【００２２】
本実施例によるドアストライカー１０は、鉄やステンレス鋼板材をプレス加工によって製作したもので、ドアフレーム４０に固定ねじ（図示しない）を用いて締結することができるように前面１８の上下部にネジ孔１９が形成されており、前面１８の一側にはドア３０が閉まる時ラッチ２０の後面２４と衝突されることを防止するとともにラッチ２０を軽く押してストライカー溝へガイドするために傾いたガイド１７が一体に形成されている。
【００２３】
以上で説明したように、本考案によるドアストライカーはラッチの挿入時にラッチ組立体の内部の弾性部材によって突出されたラッチがドアストライカーの前後面に緊密に当接された状態を保持するので、風が吹いたり内外部の気圧変化にもかかわらずドアが搖れることを防止することができて、静粛な状態を保持することはもちろん、ドアの揺れによる不安を解消することができ、ドアに強い外力が作用してもラッチがストライカーから離脱されることを防止することができるので、プライバシーも完璧に保護することができ、またドアの品質を向上させることができるという利点がある。
【符号の説明】
【００２４】
１０：ドアストライカー
１２：前面係止突起
１２ａ：直角面
１２ｂ：傾斜面
１４：後面係止突起
１６：底面
１７：ガイド
１８：前面
１９：ネジ孔
２０：ラッチ
２２：前面
２４：後面
３０：ドア
４０：ドアフレーム
ｄ：ラッチの厚さ
Ｄ：ストライカー溝の前後幅
【図１】
2020508408.tif 000003
【図２】
2020508408.tif 000004
【図３】
2020508408.tif 000005
【図４】
2020508408.tif 000006
【図５】
2020508408.tif 000007
【国際調査報告】
2020508408.tif 000008
2020508408.tif 000009
2020508408.tif 000010
2020508408.tif 000011